(57)【要約】【課題】マウスに係合部材を係合させることにより、製作時間を短縮させて生産コストを減らすことができるマウス固定構造を提供する。【解決手段】マウス固定構造は、マウス２及び少なくとも１つの係合部材３を備える。マウス２は、底部２１及びトレースキャプチャ装置２２を有する。底部２１には、少なくとも１つの環状側壁２１１及び貫通孔２１２が設けられ、環状側壁２１１が周設された固定孔２１１１を有し、貫通孔２１２に対応するようにトレースキャプチャ装置２２がマウス２内に配置される。係合部材３は、外側に凸設された少なくとも１つの位置決めブロック３３を端部に有し、位置決めブロック３３が、環状側壁２１１の固定孔２１１１に挿入され、環状側壁２１１上に係合される。【選択図】図１
0003168840.tif 000002
【実用新案登録請求の範囲】
【請求項１】
マウス及び少なくとも１つの係合部材を備えるマウス固定構造であって、
前記マウスは、底部及びトレースキャプチャ装置を有し、前記底部には、少なくとも１つの環状側壁及び貫通孔が設けられ、前記環状側壁が周設された固定孔を有し、前記貫通孔に対応するように前記トレースキャプチャ装置が前記マウス内に配置され、
前記係合部材は、外側に凸設された少なくとも１つの位置決めブロックを端部に有し、前記位置決めブロックが、前記環状側壁の前記固定孔に挿入され、前記環状側壁上に係合されることを特徴とするマウス固定構造。
【請求項２】
前記係合部材は、ベース部と、前記ベース部から延伸された２つのアーム部と、前記アーム部それぞれの末端に設けられた前記位置決めブロックと、を有することを特徴とする請求項１に記載のマウス固定構造。
【請求項３】
前記２つのアーム部のそれぞれには、前記ベース部と前記位置決めブロックとの間に位置する位置規制部が外側へ延設されていることを特徴とする請求項２に記載のマウス固定構造。
【請求項４】
前記環状側壁は、前記底部の外縁及び内縁に接続され、案内面及びストッパ面を有し、
前記係合部材は、前記位置決めブロックのそれぞれに斜面部及び位置決め面が設けられ、
前記案内面を介して前記斜面部が前記固定孔中に挿入されると、前記ストッパ面に前記位置決め面が当接されることを特徴とする請求項３に記載のマウス固定構造。
【請求項５】
前記２つのアーム部のそれぞれは、前記ベース部から互いに平行かつ所定の間隔を保ちながら延伸する、或いは互いの間隔が次第に大きくなるように、前記ベース部から斜めに延伸することを特徴とする請求項４に記載のマウス固定構造。
【請求項６】
前記係合部材は、前記ベース部と、前記ベース部から延伸された前記アーム部と、前記アーム部の末端から２つの方向に延伸された前記位置決めブロックと、前記アーム部から外側に延設された位置規制部と、を有することを特徴とする請求項２に記載のマウス固定構造。
【請求項７】
前記環状側壁は、前記底部の外縁から前記マウスの内部にかけて延設され、前記マウス内部に位置して互いに離間されて設けられた２つの弧状柱体を有し、
前記柱体それぞれの端面には、案内面と、前記案内面に接続されたストッパ面と、が設けられていることを特徴とする請求項６に記載のマウス固定構造。
【請求項８】
前記係合部材の前記位置決めブロックは、２つの凸柱の両側に、移動可能に位置することを特徴とする請求項７に記載のマウス固定構造。
【請求項９】
前記位置決めブロックの長さは、前記２つの柱体の内縁間の距離より大きく、前記２つの凸柱間の距離より僅かに大きいことを特徴とする請求項８に記載のマウス固定構造。
【請求項１０】
前記係合部材の前記位置決めブロックは、前記ストッパ面及び前記凸柱に当接されることを特徴とする請求項９に記載のマウス固定構造。
【請求項１１】
展示用プレート、マウス及び少なくとも１つの係合部材を備えるマウス固定構造であって、
前記展示用プレートには、少なくとも１つの穿孔が設けられ、
前記マウスは、底部及びトレースキャプチャ装置を有し、前記底部には、少なくとも１つの環状側壁及び貫通孔が設けられ、前記環状側壁が周設された固定孔を有し、前記マウスが前記展示用プレートの一方側の側部に配置され、前記環状側壁の前記固定孔が前記穿孔に対応し、前記貫通孔に対応するように前記トレースキャプチャ装置が前記マウス内に配置され、
前記係合部材は、前記展示用プレートの前記穿孔と、前記環状側壁の前記固定孔とに挿入され、前記環状側壁上に係合されることを特徴とするマウス固定構造。
【請求項１２】
前記係合部材は、ベース部と、前記ベース部から延伸された２つのアーム部と、前記２つのアーム部それぞれの端部から外側にそれぞれ凸設された位置決めブロックと、を有し、
前記位置決めブロックが前記穿孔及び前記固定孔に挿入され、前記環状側壁上に係合されることを特徴とする請求項１１に記載のマウス固定構造。
【請求項１３】
前記２つのアーム部は、外側にそれぞれ延設された２つの位置規制部を有し、
前記位置規制部は、前記展示用プレートの他方側の側部に当接され、前記ベース部と前記位置決めブロックとの間に位置することを特徴とする請求項１２に記載のマウス固定構造。
【請求項１４】
前記環状側壁は、前記底部の外縁及び内縁に接続され、案内面及びストッパ面を有し、
前記係合部材は、前記位置決めブロックのそれぞれに斜面部及び位置決め面が設けられ、
前記案内面を介して前記斜面部が前記固定孔中に挿入されると、前記ストッパ面に前記位置決め面が当接されることを特徴とする請求項１３に記載のマウス固定構造。
【請求項１５】
前記２つのアーム部のそれぞれは、前記ベース部から互いに平行かつ所定の間隔を保ちながら延伸するか、互いの間隔が次第に大きくなるように、前記ベース部から斜めに延伸することを特徴とする請求項１４に記載のマウス固定構造。
【請求項１６】
前記係合部材は、ベース部と、前記ベース部から延伸されたアーム部と、前記アーム部の末端から２つの方向に延伸された位置決めブロックと、前記アーム部から外側に延設された位置規制部と、を有することを特徴とする請求項１１に記載のマウス固定構造。
【請求項１７】
前記環状側壁は、前記底部の外縁から前記マウスの内部にかけて延設され、前記マウス内部に位置して互いに離間されて設けられた２つの弧状柱体を有し、
前記柱体それぞれの端面には、案内面と、前記案内面に接続されたストッパ面と、が設けられていることを特徴とする請求項１６に記載のマウス固定構造。
【請求項１８】
前記係合部材の前記位置決めブロックは、２つの凸柱の両側に、移動可能に位置することを特徴とする請求項１７に記載のマウス固定構造。
【請求項１９】
前記位置決めブロックの長さは、前記２つの柱体の内縁間の距離より大きく、前記２つの凸柱間の距離より僅かに大きいことを特徴とする請求項１８に記載のマウス固定構造。
【請求項２０】
前記係合部材の前記位置決めブロックは、前記ストッパ面及び前記凸柱に当接されることを特徴とする請求項１９に記載のマウス固定構造。
【考案の詳細な説明】
【技術分野】
【０００１】
本考案は、マウスに関し、特に、プレートに固定させるマウス固定構造に関する。
【背景技術】
【０００２】
マウスは、コンピュータを簡便に操作するために用いる各種コンピュータに必要な入力装置である。マウスを代替する様々な装置（例えば、ノート型パソコンのトラックパッド）等がすでに出回っているが、マウスには依然として代替することができない機能がある。
【０００３】
マウスを使用する際は、平らに置いて使用するが、販売する際にはマウス全体が見えるように、直立させる場合がほとんどである。その際、数枚のプレートによりマウスの周縁部を挟持したり、プレート上にネジで螺設したりすることにより、マウスを直立させる場合がほとんどであった。しかし、上述の方法では、製作に多くの時間がかかるとともに生産コストの増加を招く。
【０００４】
したがって、製作時間を短縮させて生産コストを減らすことができるマウス固定構造が求められていた。
【考案の概要】
【考案が解決しようとする課題】
【０００５】
本考案の目的は、マウスに係合部材を係合させることにより、製作時間を短縮させて生産コストを減らすことができるマウス固定構造を提供することにある。
【課題を解決するための手段】
【０００６】
上記課題を解決するために、本考案の第１の形態にかかるマウス固定構造は、マウス及び少なくとも１つの係合部材を備え、前記マウスは、底部及びトレースキャプチャ装置を有し、前記底部には、少なくとも１つの環状側壁及び貫通孔が設けられ、前記環状側壁が周設された固定孔を有し、前記貫通孔に対応するように前記トレースキャプチャ装置が前記マウス内に配置され、前記係合部材は、外側に凸設された少なくとも１つの位置決めブロックを端部に有し、前記位置決めブロックが、前記環状側壁の前記固定孔に挿入され、前記環状側壁上に係合されることを特徴とするマウス固定構造を提供する。
【０００７】
また、本考案の第２の形態にかかるマウス固定構造は、展示用プレート、マウス及び少なくとも１つの係合部材を備え、前記展示用プレートには、少なくとも１つの穿孔が設けられ、前記マウスは、底部及びトレースキャプチャ装置を有し、前記底部には、少なくとも１つの環状側壁及び貫通孔が設けられ、前記環状側壁が周設された固定孔を有し、前記マウスが前記展示用プレートの側部に配置され、前記環状側壁の前記固定孔が前記穿孔に対応し、前記貫通孔に対応するように前記トレースキャプチャ装置が前記マウス内に配置され、前記係合部材は、前記展示用プレートの前記穿孔と、前記環状側壁の前記固定孔とに挿入され、前記環状側壁上に係合されることを特徴とするマウス固定構造を提供する。
【考案の効果】
【０００８】
本考案のマウス固定構造は、係合部材による係合方式によって展示用プレート上にマウスを固定させることにより、迅速に組み立てることができ、製作時間を短縮させるとともに生産コストを減らすことができる。
【図面の簡単な説明】
【０００９】
【図１】本考案の第１実施形態によるマウス固定構造を示す分解斜視図である。
【図２】本考案の第１実施形態によるマウス固定構造を示す斜視図である。
【図３】本考案の第１実施形態によるマウス固定構造を組み立てるときの状態を示す断面斜視図である。
【図３Ａ】図３のＡ部分の部分拡大図である。
【図４】本考案の第１実施形態によるマウス固定構造を取り付けたときの状態を示す断面斜視図である。
【図４Ａ】図４のＢ部分の部分拡大図である。
【図５】本考案の第１実施形態によるマウス固定構造を包装箱に取り付けたときの状態を示す斜視図である。
【図６】本考案の第２実施形態によるマウス固定構造の係合部材を示す斜視図である。
【図７】本考案の第３実施形態によるマウス固定構造を示す分解斜視図である。
【図８Ａ】本考案の第３実施形態によるマウス固定構造のマウスの底部を示す斜視図である。
【図８Ｂ】本考案の第３実施形態によるマウス固定構造の係合部材を示す斜視図である。
【図９】本考案の第３実施形態によるマウス固定構造を示す斜視図である。
【図１０】本考案の第３実施形態によるマウス固定構造を示す平面図である。
【考案を実施するための形態】
【００１０】
以下、本考案の実施形態を図面に基づいて説明する。なお、これによって本考案が限定されるものではない。
【００１１】
（第１実施形態）
図１を参照する。図１に示すように、本考案の第１実施形態によるマウス固定構造は、展示用プレート１、マウス２及び少なくとも１つの係合部材３から構成される。マウス２は、少なくとも１つの係合部材３により展示用プレート１上に固定される。展示用プレート１を包装箱４に取り付けると（図５参照）、マウス２が直立式に置かれる。係合部材３の数は、第１実施形態では３つであるが、この態様に限定されず、必要に応じて１つ、２つ又は３つ以上でもよい。係合部材３の数が変わると、それに応じて係合部材３に対応する部位又は構成要素も変わる。
【００１２】
展示用プレート１には、３つの穿孔１１が設けられている。マウス２は、底部２１及びトレースキャプチャ装置（ｔｒａｃｅ  ｃａｐｔｕｒｅ  ｄｅｖｉｃｅ）２２を有する。底部２１には、３つの環状側壁２１１及び１つの貫通孔２１２が設けられている。各環状側壁２１１は、底部２１の外縁及び内縁に接続され、固定孔２１１１の周囲に設けられる。各環状側壁２１１は、底部２１の外縁から延伸された案内面２１１２と、底部２１の内縁から延伸されたストッパ面２１１３とを有する（図３参照）。上述のトレースキャプチャ装置２２は、トラックボール装置又は光ピックアップ装置（図示せず）でもよく、底部２１の貫通孔２１２に対応するようにマウス２内に配置されている。
【００１３】
また、マウス２の底部２１は、展示用プレート１の一方側の側部の端面上に配置され、各環状側壁２１１の固定孔２１１１は、展示用プレート１の各穿孔１１に対応する。
【００１４】
係合部材３は、ベース部３１と、ベース部３１の両端から延伸された２つのアーム部３２と、アーム部３２の末端から外側に凸設された位置決めブロック３３と、各アーム部３２から外側に延設された位置規制部３４とを有する。
【００１５】
各係合部材３の２つのアーム部３２は、ベース部３１から互いに平行かつ所定の間隔を保ちながら延伸されている。２つのアーム部３２は、力が加わると互いに近づくように移動したり、離れるように移動したりする。アーム部３２は、第１実施形態では２つであるが、これに限定されず、必要に応じて１つ又は複数でもよい。アーム部３２の数が変わると、それに応じてアーム部３２に対応する部位又は構成要素も変わる。
【００１６】
各係合部材３の２つの位置決めブロック３３は、フック状（ｈｏｏｋｉｎｇ  ｓｈａｐｅ）であり、斜面部３３１（図３参照）及び位置決め面３３２をそれぞれ有する。位置規制部３４は、ベース部３１と位置決めブロック３３との間に位置する。位置規制部３４から位置決め面３３２までの距離は、展示用プレート１の厚さと、底部２１のストッパ面２１１３（図３参照）から底部２１の外縁までの厚さとを加算した距離に略等しい。
【００１７】
図２から図３Ａを参照する。図２から図３Ａに示すように、上述の３つの係合部材３は、展示用プレート１の３つの穿孔１１にそれぞれ挿入され、底部２１の環状側壁２１１の案内面２１１２に、位置決めブロック３３の斜面部３３１を押圧させることにより、２つのアーム部３２が互いに近づく方向へ移動し、固定孔２１１１に挿入されると、２つのアーム部３２が復位して、位置決めブロック３３の位置決め面３３２が環状側壁２１１のストッパ面２１１３に当接され、展示用プレート１の他方側の側部の端面上に位置規制部３４が当接される。固定孔２１１１に対して係合部材３を着脱する際は、アーム部３２に圧力を加えるだけで、係合部材３をスムーズかつ迅速に着脱させることができる。
【００１８】
第１実施形態の係合部材３は、係合方式により、展示用プレート１上にマウス２を固定させることにより（図４及び図４Ａ参照）、迅速に組み立てることが可能で、製作時間を短縮させて生産コストを減らすことができる。
【００１９】
（第２実施形態）
図６を参照する。図６に示すように、本考案の第２実施形態によるマウス固定構造は、係合部材３の部分が第１実施形態と異なる。
【００２０】
第２実施形態では、各係合部材３の２つのアーム部３２は、互いの間隔が次第に大きくなるように、ベース部３１から斜めに延伸されている。
【００２１】
（第３実施形態）
図７〜図１０を参照する。図７〜図１０に示すように、本考案の第３実施形態によるマウス固定構造は、底部２１の環状側壁２１１及び係合部材３の部分が第１実施形態と異なる。以下、相違点について詳説する。
【００２２】
図７及び図８Ａを参照する。図７及び図８Ａに示すように、底部２１の環状側壁２１１は、底部２１の外縁からマウス２の内部にかけて延設され、固定孔２１１１の周囲に設けられている。環状側壁２１１は、マウス２内部に設けられ、互いに離間されて設けられた２つの弧状柱体２１１４を有する。各柱体２１１４の端面には、案内面２１１２と、案内面２１１２に接続されたストッパ面２１１３とが形成されている。
【００２３】
また、底部２１の内縁には、２つの柱体２１１４の外側に凸設された２つの凸柱２１３が配置されている。凸柱２１３の端面から底部２１の内縁までの距離は、ストッパ面２１１３から底部２１の内縁までの距離より大きい。
【００２４】
図８Ｂを参照する。図８Ｂに示すように、係合部材３は、ベース部３１と、ベース部３１から延伸されたアーム部３２と、アーム部３２の末端から２つの方向に延伸された位置決めブロック３３と、アーム部３２から外側に延設された位置規制部３４とを有する。位置決めブロック３３の長さは、２つの柱体２１１４の内縁間の距離より大きく、２つの凸柱２１３間の距離より僅かに大きい。位置規制部３４から位置決めブロック３３までの距離は、展示用プレート１の厚さと、底部２１の内縁から底部２１の外縁までの厚さとを加算した距離に略等しい。
【００２５】
図９及び図１０を参照する。図９及び図１０に示すように、第３実施形態によるマウス固定構造を実際に使用する際、まず、係合部材３を展示用プレート１の穿孔１１と、マウス２の底部２１の固定孔２１１１とに挿入し、環状側壁２１１の内縁に位置規制部３４を当接させる。その後、底部２１の環状側壁２１１の案内面２１１２に沿わせながら位置決めブロック３３を回転させると、凸柱２１３から離れたストッパ面２１１３の側部から、ストッパ面２１１３の側部に隣接した箇所まで位置決めブロック３３が移動し、ストッパ面２１１３及び凸柱２１３に当接される。位置決めブロック３３は、２つの凸柱２１３の両側に、移動可能に位置する。凸柱２１３から離れたストッパ面２１１３の側部から、ストッパ面２１１３の側部に隣接した箇所に位置決めブロック３３を移動させる際は、主にプラスチックの弾性を利用する。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１  展示用プレート
２  マウス
３  係合部材
４  包装箱
１１  穿孔
２１  底部
２２  トレースキャプチャ装置
３１  ベース部
３２  アーム部
３３  位置決めブロック
３４  位置規制部
２１１  環状側壁
２１２  貫通孔
２１３  凸柱
３３１  斜面部
３３２  位置決め面
２１１１  固定孔
２１１２  案内面
２１１３  ストッパ面
２１１４  柱体 
【図１】
0003168840.tif 000003
【図２】
0003168840.tif 000004
【図３】
0003168840.tif 000005
【図３Ａ】
0003168840.tif 000006
【図４】
0003168840.tif 000007
【図４Ａ】
0003168840.tif 000008
【図５】
0003168840.tif 000009
【図６】
0003168840.tif 000010
【図７】
0003168840.tif 000011
【図８Ａ】
0003168840.tif 000012
【図８Ｂ】
0003168840.tif 000013
【図９】
0003168840.tif 000014
【図１０】
0003168840.tif 000015